(57)【要約】【課題】別途配線を設けることなく複数系統の照明制御システムで同一の換気扇を連動して動作させる。【解決手段】換気扇連動用子器Ｃは、それぞれに異なる系統の照明制御システムの信号線Ｌｓ１，Ｌｓ２が接続される２つの子器接続端子部３，４を備える。制御部９は、少なくとも何れか１つの子器接続端子部３，４から人体検知信号が入力されたときに換気扇駆動部８を制御して換気扇Ｆを動作させる。従って、従来例のように別途配線を設けることなく２系統の照明制御システムで同一の換気扇Ｆを連動して動作させることができる。【選択図】        図１
2006331947.tif 000002
【特許請求の範囲】
【請求項１】
検知領域内で人の存在を検知したとき若しくは外部から人体検知信号が入力されたときに照明負荷をオンする親機、信号線を介して親機と接続され検知領域内で人の存在を検知したときに信号線に人体検知信号を出力する１乃至複数の子器からなる照明制御システムに子器として用いられ、換気扇が接続される換気扇接続端子部と、換気扇に給電するための外部電源が接続される電源端子部と、それぞれに異なる親機又は当該親機と接続された子器に信号線を介して接続される複数の子器接続端子部と、人体から放射される熱線を検出することで検知領域内の人の存在を検知して人体検知信号を出力する熱線センサ部と、信号線を介して各子器接続端子部から入力する人体検知信号を取り込むとともに熱線センサ部から出力された人体検知信号を少なくとも何れか一つの子器接続端子部から信号線に出力する信号入出力部と、電源端子部から換気扇接続端子部への給電を入切して換気扇を駆動する換気扇駆動部と、熱線センサ部が人体検知信号を出力したとき若しくは信号入出力部が人体検知信号を取り込んだときに換気扇駆動部を制御して換気扇を動作させる制御部とを備えたことを特徴とする照明制御システムの換気扇連動用子器。
【請求項２】
信号入出力部は、特定の一つの子器接続端子部のみから人体検知信号を信号線に出力することを特徴とする請求項１記載の照明制御システムの換気扇連動用子器。
【請求項３】
前記特定の子器接続端子部と並列に設けられた送り配線用の子器接続端子部を備えたことを特徴とする請求項２記載の照明制御システムの換気扇連動用子器。
【請求項４】
前記各部を収納する器体と、器体の端部に着脱自在に取り付けられ当該端部に一部が露出する換気扇接続端子部、電源端子部、子器接続端子部を覆い隠す端子カバーとを備え、前記各端子部は、端子カバーの取付方向と交差する方向に沿って器体の端部に複数列に並べ且つ端子カバーの取付方向に沿って各列が段違いに設けられたことを特徴とする請求項１〜３の何れかに記載の照明制御システムの換気扇連動用子器。
【請求項５】
前記各端子部は、電線を所定の方向から差し込むことで当該電線が接続される速結端子構造を有し、端子カバーの取付方向並びに前記列方向と交差する方向から電線が差し込まれることを特徴とする請求項４記載の照明制御システムの換気扇連動用子器。
【請求項６】
前記各端子部は、電線を所定の方向から差し込むことで当該電線が接続される速結端子構造を有し、端子カバーの取付方向に沿って電線が差し込まれることを特徴とする請求項４記載の照明制御システムの換気扇連動用子器。
【請求項７】
器体を挟んで対向する端子カバーの両側端部に各々複数の嵌合部が設けられるとともに、これら複数の嵌合部がそれぞれ凹凸嵌合する複数の嵌合凹部が器体の端部両側に設けられ、少なくとも何れか一方の側における複数の嵌合部及び嵌合凹部が、前記各端子部に対する電線の差込方向と交差する方向に沿って段違いに設けられたことを特徴とする請求項５記載の照明制御システムの換気扇連動用子器。
【請求項８】
有底筒状であって底側の端部に端子カバーが取り付けられるカバーと、カバーと結合されて器体を構成するボディとを備え、複数の嵌合突部と、各嵌合突部が嵌合する嵌合孔がそれぞれ貫設された複数の組立片との一方がボディに設けられるとともに他方がカバーに設けられ、嵌合孔に嵌合突部が嵌合してボディとカバーが結合された状態で、組立片が設けられたボディ又はカバーに当接して支持する支持部が、嵌合突部の設けられたボディ若しくはカバーに設けられたことを特徴とする請求項４〜７の何れかに記載の照明制御システムの換気扇連動用子器。
【請求項９】
有底筒状であって底側の端部に端子カバーが取り付けられるカバーと、カバーと結合されて器体を構成するボディと、天井に設けられた埋込孔に前記端部を埋め込む形で器体を天井に固定する固定手段とを備え、複数の嵌合突部と、各嵌合突部が嵌合する嵌合孔がそれぞれ貫設された複数の組立片との一方がボディに設けられるとともに他方がカバーに設けられ、ボディに着脱自在に取り付けられる前記固定手段をボディ並びにカバーの側面に密着させたことを特徴とする請求項４〜７の何れかに記載の照明制御システムの換気扇連動用子器。
【請求項１０】
有底筒状であって底側の端部に端子カバーが取り付けられるカバーと、カバーと結合されて器体を構成するボディとを備え、換気扇接続端子部並びに電源端子部が一列に並べて実装される第１のプリント配線板と、複数の子器接続端子部が一列に並べて実装される第２のプリント配線板とが器体に収納され、第１及び第２のプリント配線板の端部がスライド自在に嵌合する複数の嵌合溝がボディに対するカバーの取付方向に沿ってカバーの内側面に設けられ、少なくとも制御部が実装される第３のプリント配線板がボディ内に固定されるとともに第１及び第２のプリント配線板の端面を第３のプリント配線板に当接させたことを特徴とする請求項５記載の照明制御システムの換気扇連動用子器。
【請求項１１】
換気扇駆動部が第１のプリント配線板に実装され、制御部が第３のプリント配線板に実装されたことを特徴とする請求項１０記載の照明制御システムの換気扇連動用子器。
【発明の詳細な説明】
【技術分野】
【０００１】
本発明は、検知領域内で人の存在を検知したとき若しくは外部から人体検知信号が入力されたときに照明負荷をオンする親機、信号線を介して親機と接続され検知領域内で人の存在を検知したときに信号線に人体検知信号を出力する１乃至複数の子器からなる照明制御システムに子器として用いられ、照明負荷に連動して換気扇を駆動するための換気扇連動用子器に関するものである。
【背景技術】
【０００２】
従来の照明負荷制御システムのシステム構成例を図１３に示す。このシステムは、それぞれに検知領域内で人の存在を検知する機能を有した親機Ａ並びに複数台の子器Ｂが信号線Ｌｓを介して接続され、親機Ａが、検知領域内で人の存在を検知したとき若しくは信号線Ｌｓを介して何れかの子器Ｂ，…から人体検知信号が入力されたときに外部の電源（商用交流電源）ＡＣから照明負荷Ｌへの給電路を閉じて照明負荷Ｌをオン（点灯）することにより、人が居る間は照明負荷Ｌを点灯し、人が居なくなれば照明負荷Ｌを消灯することで省エネルギ化を達成するものである。また、この種の照明制御システムでは、ショッピングセンターや百貨店などの商業施設あるいはオフィスビルなどのトイレに設置されてトイレ内の照明負荷Ｌに連動して換気扇Ｆを動作させる場合に対応して、人体検知信号に応じて換気扇Ｆの動作を制御するための換気扇連動用子器Ｃ’が信号線Ｌｓを介して親機Ａ（若しくは他の子器Ｂ）に接続されることがある（例えば、特許文献１参照）。
【０００３】
従来の換気扇連動用子器Ｃ’は、換気扇Ｆが接続される換気扇接続端子部と、換気扇Ｆに給電するための外部電源（商用交流電源）ＡＣが接続される電源端子部と、親機Ａと接続された子器Ｂに信号線Ｌｓを介して接続される子器接続端子部と、人体から放射される熱線を検出することで検知領域内の人の存在を検知して人体検知信号を出力する熱線センサ部と、信号線Ｌｓを介して子器接続端子部から入力する人体検知信号を取り込むとともに熱線センサ部から出力された人体検知信号を子器接続端子部から信号線Ｌｓに出力する信号入出力部と、電源端子部から換気扇接続端子部への給電を入切して換気扇Ｆを駆動する換気扇駆動部と、熱線センサ部が人体検知信号を出力したとき若しくは信号入出力部が人体検知信号を取り込んだときに換気扇駆動部を制御して換気扇Ｆを動作させる制御部とを備えている。従って、親機Ａ若しくは子器Ｂ（換気扇連動用子器Ｃ’を含む）で検知領域内における人の存在が検知されると、親機Ａが照明負荷Ｌを点灯するとともに信号線Ｌｓを介して人体検知信号が伝送され、換気扇連動用子器Ｃ’の制御部が換気扇駆動部を制御して換気扇Ｆを照明負荷Ｌに連動して動作させることができる。
【特許文献１】特開２００２-３６８５９６号公報
【発明の開示】
【発明が解決しようとする課題】
【０００４】
ところで、上述の商業施設やオフィスビルにおいては、隣接して配置されている男性用トイレと女性用トイレで換気扇を共用している場合がある。一方、照明負荷Ｌについては男性用トイレと女性用トイレでそれぞれ個別に制御する必要があるから、それぞれに上述のような照明制御システムが設置される。しかしながら、上記従来の換気扇連動用子器Ｃ’は１系統の照明制御システム（例えば、男性用トイレに設置された照明制御システム）と連動して換気扇Ｆを動作させることはできても、他系統の照明制御システム（例えば、女性用トイレに設置された照明制御システム）と連動して同じ換気扇Ｆを動作させることができず、別途リレー等を用いた配線を設ける必要があった。
【０００５】
本発明は上記事情に鑑みて為されたものであり、その目的は、別途配線を設けることなく複数系統の照明制御システムで同一の換気扇を連動して動作させることができる照明制御システムの換気扇連動用子器を提供することにある。
【課題を解決するための手段】
【０００６】
請求項１の発明は、上記目的を達成するために、検知領域内で人の存在を検知したとき若しくは外部から人体検知信号が入力されたときに照明負荷をオンする親機、信号線を介して親機と接続され検知領域内で人の存在を検知したときに信号線に人体検知信号を出力する１乃至複数の子器からなる照明制御システムに子器として用いられ、換気扇が接続される換気扇接続端子部と、換気扇に給電するための外部電源が接続される電源端子部と、それぞれに異なる親機又は当該親機と接続された子器に信号線を介して接続される複数の子器接続端子部と、人体から放射される熱線を検出することで検知領域内の人の存在を検知して人体検知信号を出力する熱線センサ部と、信号線を介して各子器接続端子部から入力する人体検知信号を取り込むとともに熱線センサ部から出力された人体検知信号を少なくとも何れか一つの子器接続端子部から信号線に出力する信号入出力部と、電源端子部から換気扇接続端子部への給電を入切して換気扇を駆動する換気扇駆動部と、熱線センサ部が人体検知信号を出力したとき若しくは信号入出力部が人体検知信号を取り込んだときに換気扇駆動部を制御して換気扇を動作させる制御部とを備えたことを特徴とする。
【０００７】
請求項２の発明は、請求項１の発明において、信号入出力部は、特定の一つの子器接続端子部のみから人体検知信号を信号線に出力することを特徴とする。
【０００８】
請求項３の発明は、請求項２の発明において、前記特定の子器接続端子部と並列に設けられた送り配線用の子器接続端子部を備えたことを特徴とする。
【０００９】
請求項４の発明は、請求項１〜３の何れかの発明において、前記各部を収納する器体と、器体の端部に着脱自在に取り付けられ当該端部に一部が露出する換気扇接続端子部、電源端子部、子器接続端子部を覆い隠す端子カバーとを備え、前記各端子部は、端子カバーの取付方向と交差する方向に沿って器体の端部に複数列に並べ且つ端子カバーの取付方向に沿って各列が段違いに設けられたことを特徴とする。
【００１０】
請求項５の発明は、請求項４の発明において、前記各端子部は、電線を所定の方向から差し込むことで当該電線が接続される速結端子構造を有し、端子カバーの取付方向並びに前記列方向と交差する方向から電線が差し込まれることを特徴とする。
【００１１】
請求項６の発明は、請求項４の発明において、前記各端子部は、電線を所定の方向から差し込むことで当該電線が接続される速結端子構造を有し、端子カバーの取付方向に沿って電線が差し込まれることを特徴とする。
【００１２】
請求項７の発明は、請求項５の発明において、器体を挟んで対向する端子カバーの両側端部に各々複数の嵌合部が設けられるとともに、これら複数の嵌合部がそれぞれ凹凸嵌合する複数の嵌合凹部が器体の端部両側に設けられ、少なくとも何れか一方の側における複数の嵌合部及び嵌合凹部が、前記各端子部に対する電線の差込方向と交差する方向に沿って段違いに設けられたことを特徴とする。
【００１３】
請求項８の発明は、請求項４〜７の何れかの発明において、有底筒状であって底側の端部に端子カバーが取り付けられるカバーと、カバーと結合されて器体を構成するボディとを備え、複数の嵌合突部と、各嵌合突部が嵌合する嵌合孔がそれぞれ貫設された複数の組立片との一方がボディに設けられるとともに他方がカバーに設けられ、嵌合孔に嵌合突部が嵌合してボディとカバーが結合された状態で、組立片が設けられたボディ又はカバーに当接して支持する支持部が、嵌合突部の設けられたボディ若しくはカバーに設けられたことを特徴とする。
【００１４】
請求項９の発明は、請求項４〜７の何れかの発明において、有底筒状であって底側の端部に端子カバーが取り付けられるカバーと、カバーと結合されて器体を構成するボディと、天井に設けられた埋込孔に前記端部を埋め込む形で器体を天井に固定する固定手段とを備え、複数の嵌合突部と、各嵌合突部が嵌合する嵌合孔がそれぞれ貫設された複数の組立片との一方がボディに設けられるとともに他方がカバーに設けられ、ボディに着脱自在に取り付けられる前記固定手段をボディ並びにカバーの側面に密着させたことを特徴とする。
【００１５】
請求項１０の発明は、請求項５の発明において、有底筒状であって底側の端部に端子カバーが取り付けられるカバーと、カバーと結合されて器体を構成するボディとを備え、換気扇接続端子部並びに電源端子部が一列に並べて実装される第１のプリント配線板と、複数の子器接続端子部が一列に並べて実装される第２のプリント配線板とが器体に収納され、第１及び第２のプリント配線板の端部がスライド自在に嵌合する複数の嵌合溝がボディに対するカバーの取付方向に沿ってカバーの内側面に設けられ、少なくとも制御部が実装される第３のプリント配線板がボディ内に固定されるとともに第１及び第２のプリント配線板の端面を第３のプリント配線板に当接させたことを特徴とする。
【００１６】
請求項１１の発明は、請求項１０の発明において、換気扇駆動部が第１のプリント配線板に実装され、制御部が第３のプリント配線板に実装されたことを特徴とする。
【発明の効果】
【００１７】
請求項１の発明によれば、それぞれに異なる系統の照明制御システムの信号線が接続される子器接続端子部を複数備え、少なくとも何れか１つの子器接続端子部から人体検知信号が入力されたときに制御部が換気扇駆動部を制御して換気扇を動作させるので、別途配線を設けることなく複数系統の照明制御システムで同一の換気扇を連動して動作させることができる。
【００１８】
請求項２の発明によれば、複数系統の照明制御システムのうちで主に何れの照明制御システムに属するかが明確になって設置場所の選定が容易になる。
【００１９】
請求項３の発明によれば、信号線を送り配線して別の子器を接続することができるから設置場所の選択の自由度が増すとともに信号線の引き回しが容易になる。
【００２０】
請求項４の発明によれば、端子カバー内における各端子部に接続された電線の引き回しが簡単になる。
【００２１】
請求項５の発明によれば、各端子部に対する電線の接続状態が確認し易くなって施工性が向上する。
【００２２】
請求項６の発明によれば、各端子部に対する電線の接続状態が確認し易くなって施工性が向上する。
【００２３】
請求項７の発明によれば、器体に対する端子カバーの取付強度が向上する。
【００２４】
請求項８の発明によれば、ボディとカバーの結合強度が向上する。
【００２５】
請求項９の発明によれば、ボディとカバーの結合強度がさらに向上する。
【００２６】
請求項１０の発明によれば、第１及び第２のプリント配線板をカバー内に確実に位置決めして収納することができるとともに各端子部に接続された電線からの応力に対する強度が向上する。
【００２７】
請求項１１の発明によれば、ノイズやサージ電圧に対する耐性が向上する。
【発明を実施するための最良の形態】
【００２８】
以下、図面を参照して本発明の実施形態を詳細に説明する。
【００２９】
（実施形態１）
図１は本実施形態の換気扇連動用子器Ｃの回路ブロック図、図２は換気扇連動用子器Ｃを含む照明制御システムのシステム構成図をそれぞれ示している。
【００３０】
本実施形態における照明制御システムは、図２に示すように１台の親機Ａ１と複数台の子器Ｂ１１，１２，…とが信号線Ｌｓ１で接続された第１の系統（主系統）と、１台の親機Ａ２と複数台の子器Ｂ２１，Ｂ２２，…とが信号線Ｌｓ２で接続された第２の系統（副系統）とを有し、各系統で互いに異なる照明負荷Ｌ１，Ｌ２を個別に制御するとともに、第１及び第２の系統の信号線Ｌｓ１，Ｌｓ２が接続され、両系統の照明負荷Ｌ１，Ｌ２と連動して換気扇Ｆを動作させる換気扇連動用子器Ｃとで構成される。但し、各系統の親機Ａ１，Ａ２並びに子器Ｂ１１，…、Ｂ２１，…は何れも従来例と共通であるから、詳細な構成の図示並びに説明は省略する。
【００３１】
換気扇連動用子器Ｃは、図１に示すように換気扇Ｆが接続される換気扇接続端子部１と、換気扇Ｆに給電するための外部電源（商用交流電源）ＡＣが接続される電源端子部２と、第１の系統の信号線Ｌｓ１が接続される第１の子器接続端子部３と、第２の系統の信号線Ｌｓ２が接続される第２の子器接続端子部４と、人体から放射される熱線を検出することで検知領域内の人の存在を検知して人体検知信号を出力する熱線センサ部５と、信号線Ｌｓ１を介して第１の子器接続端子部３から入力する人体検知信号を取り込むとともに熱線センサ部５から出力された人体検知信号を第１の子器接続端子部３から信号線Ｌｓ１に出力する第１の信号入出力部６と、信号線Ｌｓ２を介して第２の子器接続端子部４から入力する人体検知信号を取り込む第２の信号入出力部７と、電源端子部２から換気扇接続端子部１への給電を入切して換気扇Ｆを駆動する換気扇駆動部８と、熱線センサ部５が人体検知信号を出力したとき若しくは第１又は第２の信号入出力部６，７が人体検知信号を取り込んだときに換気扇駆動部８を制御して換気扇Ｆを動作させる制御部９と、電源端子部２に印加される交流電源を安定化して直流電源を作成する第１の電源回路１０と、第１の電源回路１０で作成された直流電源から換気扇駆動部８を構成するトライアック制御回路８ａ並びにリレー８ｂ（後述する）の動作電源を作成する第２の電源回路１１と、第１の電源回路１０で作成された直流電源から制御部９の動作電源を作成する制御部電源回路１２と、外部電源ＡＣのゼロクロス点を検出するゼロクロス検出回路１３とを備える。換気扇接続端子部１、電源端子部２、第１及び第２の子器接続端子部３，４は何れも２端子構成であって、それぞれ２線の電線からなる電源線Ｌｐ、負荷線Ｌｘ、信号線Ｌｓ１，Ｌｓ２が接続される（図３参照）。
【００３２】
熱線センサ部５は従来周知であって、人体から放射される熱線（赤外線）を焦電素子で検出し焦電素子の検出出力から検知領域内に人が存在するとみなせるときに単パルスの人体検出信号を発生するものである。人体検知信号は熱線センサ部５から第１の信号入出力部６に入力され、第１の信号入出力部６によって制御部９に送られるとともに第１の子器接続端子部３を介して信号線Ｌｓ１にも送出される。ここで、第１の信号入出力部６には第１の子器接続端子部３と並列に送り配線用の子器接続端子部１４が設けられており、この送り配線用子器接続端子部１４に接続された信号線にも熱線センサ部５から出力された人体検知信号が送出される。また、第１の系統に属する親機Ａ１若しくは何れかの子器Ｂ１１，…から信号線Ｌｓ１に送出された人体検知信号が第１の信号入出力部６に取り込まれて制御部９に送られる。同じく第２の系統に属する親機Ａ２若しくは何れかの子器Ｂ２１，…から信号線Ｌｓ２に送出された人体検知信号が第２の信号入出力部７に取り込まれて制御部９に送られる。
【００３３】
換気扇駆動部８は、換気扇接続端子部１の一方の端子と電源端子部２の一方の端子との間に互いに並列に接続されたリレー端子ｒ及び双方向３端子サイリスタ（トライアック）Ｑと、制御部９から与えられる制御指令に基づいてトライアックＱをターンオン及びターンオフするトライアック制御回路８ａと、同じく制御部９から与えられる制御指令に基づいてリレー端子ｒを開閉するリレー８ｂとを具備する。
【００３４】
制御部９は、マイコン並びにメモリを主構成要素とし、メモリに格納されたプログラムをマイコンが実行することにより、人体検知信号に基づいて換気扇駆動部８を制御することにより換気扇Ｆを第１及び第２の系統の照明負荷Ｌと連動して動作させる処理等を行うものである。ここで、制御部９には後述する動作保持時間等の各種設定を行うための操作スイッチ部１５と、発光ダイオードからなる動作表示部１６とが接続される。操作スイッチ部１５は、制御部９に対して動作保持時間を択一的に設定するための動作保持時間設定スイッチ１５ａ、並びに間欠運転時間を択一的に設定するための間欠運転時間設定スイッチ１５ｂを具備している。ここで動作保持時間とは、後述するように制御部９が人体検知信号を受け取ってから換気扇駆動部８を制御して換気扇Ｆを動作させ続ける時間（例えば、数十秒〜数十分）であって、当該時間が経過したら制御部９が換気扇Ｆを停止させるようになっている。また間欠運転時間とは、人体検知信号を受け取っているか否かにかかわらず、制御部９が１時間毎にその時間（例えば、数十秒〜数十分）だけ換気扇駆動部８を制御して換気扇Ｆを間欠動作させる時間である。なお、操作スイッチ部１５では動作保持時間設定スイッチ１５ａ並びに間欠運転時間設定スイッチ１５ｂの操作状態を監視しており、これらのスイッチ１５ａ，１５ｂが操作されたときに制御部９に操作信号を出力する。そして、これらの操作信号を受け取った制御部９では、動作保持時間設定スイッチ１５ａ並びに間欠運転時間設定スイッチ１５ｂで選択された動作保持時間及び間欠運転時間の設定値をメモリに格納するのである。
【００３５】
而して、第１又は第２の信号入力部６，７から人体検知信号を受け取った制御部９は、ゼロクロス検出回路１３で検出する外部電源ＡＣのゼロクロス点において、トライアック制御回路８ａに制御指令を与えてトライアックＱをターンオンさせた後、リレー８ｂに制御指令を与えてリレー接点ｒを閉じることで外部電源ＡＣから換気扇Ｆに給電して換気扇Ｆを動作させる。但し、リレー接点ｒを閉じてから所定時間が経過したら、制御部９はトライアック制御回路８ａに制御指令を与えてトライアックＱをターンオフさせる。また制御部９では、リレー８ｂに制御指令を出力した時点から内蔵のタイマで動作保持時間のカウントを開始し、動作保持時間のカウントが終了した時点で最初にトライアック制御回路８ａに制御指令を与えてトライアックＱをターンオンし、さらにリレー８ｂに制御指令を与えてリレー接点ｒを開いた後、ゼロクロス検出回路１３で検出する外部電源ＡＣのゼロクロス点において、トライアック制御回路８ａに制御指令を与えてトライアックＱをターンオフさせることで外部電源ＡＣから換気扇Ｆへの給電を止めて換気扇Ｆを停止させる。但し、動作保持時間のカウント中に新たに人体検知信号を受け取った場合、制御部９は動作保持時間のカウントをリセットして再度最初から動作保持時間のカウントを開始する。また制御部９は、間欠運転時間が設定された時点から内蔵のタイマで１時間毎に間欠運転時間のカウントを開始し、間欠運転時間のカウント中は換気扇駆動部８を制御して換気扇Ｆを動作させ続ける。
【００３６】
上述のように換気扇駆動部８にリレー接点ｒとトライアックＱの２つのスイッチ要素を設け、これら２つのスイッチ要素を介して外部電源ＡＣから換気扇Ｆに給電するとともに、換気扇Ｆへの給電路を閉じる際には先に外部電源ＡＣのゼロクロス点でトライアックＱをターンオンした後にリレー接点ｒを閉じ、換気扇Ｆへの給電路を遮断する際には先にリレー接点ｒを開いた後に外部電源ＡＣのゼロクロス点でトライアックＱをターンオフする制御処理を制御部９で行うことにより、リレー接点ｒの開閉時におけるアークの発生を防止してリレー接点ｒの長寿命化を図っている。
【００３７】
次に、図４のタイムチャートを参照して本実施形態における照明負荷制御システムの動作をさらに詳しく説明する。なお、図４（ａ）は換気扇Ｆの動作状態、（ｂ）（ｃ）はそれぞれ第１の系統（主系統）の照明負荷Ｌ１と第２の系統（副系統）の照明負荷Ｌ２の動作状態（点灯又は消灯）を示している。
【００３８】
照明負荷Ｌ１，Ｌ２が消灯し且つ換気扇Ｆが停止しているとき、時刻ｔ＝ｔ１に第１の系統の親機Ａ１若しくは子器Ｂ１１，…で検知領域内に人の存在が検知されると第１の系統の照明負荷Ｌ１が点灯する（図４（ｂ）参照）。一方、換気扇連動用子器Ｃでは、信号線Ｌｓ１に送出された人体検知信号を制御部９が第１の信号入出力部６から受け取り、換気扇駆動部８を制御して換気扇Ｆを動作させる（図４（ａ）参照）。そして、時刻ｔ＝ｔ２の時点を最後に検知領域内に人の存在が検知されなくなれば、第１の系統の親機Ａ１は時刻ｔ＝ｔ２から所定時間Ｔ２（例えば、１０秒〜３０分）が経過した時点（時刻ｔ＝ｔ３）で照明負荷Ｌ１を消灯する（図４（ｂ）参照）。一方、換気扇連動用子器Ｃでは、時刻ｔ＝ｔ２から動作保持時間Ｔ１のカウントが終了した時点（時刻ｔ＝ｔ４）で制御部９が換気扇駆動部８を制御して換気扇Ｆを停止させる（図４（ａ）参照）。
【００３９】
また時刻ｔ＝ｔ５に第２の系統の親機Ａ２若しくは子器Ｂ２１，…で検知領域内に人の存在が検知されると第２の系統の照明負荷Ｌ２が点灯する（図４（ｃ）参照）。一方、換気扇連動用子器Ｃでは、信号線Ｌｓ２に送出された人体検知信号を制御部９が第２の信号入出力部７から受け取り、換気扇駆動部８を制御して換気扇Ｆを動作させる（図４（ａ）参照）。さらに時刻ｔ＝ｔ６に第１の系統の親機Ａ１若しくは子器Ｂ１１，…で検知領域内に人の存在が検知されると第１の系統の照明負荷Ｌ１も点灯する（図４（ｂ）参照）。一方、換気扇連動用子器Ｃの制御部９は、信号線Ｌｓ１に送出された人体検知信号を第１の信号入出力部６から受け取ると動作保持時間Ｔ１のカウントをリセットして換気扇Ｆを動作させ続ける（図４（ａ）参照）。そして、時刻ｔ＝ｔ７の時点を最後に検知領域内に人の存在が検知されなくなれば、第２の系統の親機Ａ２は時刻ｔ＝ｔ７から所定時間Ｔ３（例えば、１０秒〜３０分）が経過した時点（時刻ｔ＝ｔ９）で照明負荷Ｌ２を消灯する（図４（ｃ）参照）。また時刻ｔ＝ｔ８の時点を最後に検知領域内に人の存在が検知されなくなれば、第１の系統の親機Ａ１は時刻ｔ＝ｔ８から所定時間Ｔ２が経過した時点（時刻ｔ＝ｔ１０）で照明負荷Ｌ１を消灯する（図４（ｂ）参照）。一方、換気扇連動用子器Ｃの制御部９は、時刻ｔ＝ｔ８から動作保持時間Ｔ１のカウントが終了した時点（時刻ｔ＝ｔ１１）で換気扇駆動部８を制御して換気扇Ｆを停止させる（図４（ａ）参照）。
【００４０】
また換気扇連動用子器Ｃにおいて、時刻ｔ＝ｔ１２で間欠運転時間Ｔ４が設定されると、制御部９が換気扇駆動部８を制御して換気扇Ｆを動作させ、間欠運転時間Ｔ４のカウントが終了した時点（時刻ｔ＝ｔ１３）で換気扇Ｆを停止させる（図４（ａ）参照）。さらに時刻ｔ＝ｔ１２から１時間後の時刻ｔ＝ｔ１４で制御部９は再度換気扇駆動部８を制御して換気扇Ｆを動作させるとともに間欠運転時間Ｔ４のカウントを開始する。間欠運転時間Ｔ４のカウント中に時刻ｔ＝ｔ１５で第１の系統の親機Ａ１若しくは子器Ｂ１１，…で検知領域内に人の存在が検知されると第１の系統の照明負荷Ｌ１が点灯し、時刻ｔ＝ｔ１６の時点を最後に検知領域内に人の存在が検知されなくなれば、第１の系統の親機Ａ１は時刻ｔ＝ｔ１６から所定時間Ｔ２が経過した時点（時刻ｔ＝ｔ１７）で照明負荷Ｌ１を消灯する（図４（ｂ）参照）。一方、換気扇連動用子器Ｃの制御部９は、動作保持時間Ｔ１のカウント中であれば間欠運転時間Ｔ４のカウントが終了しても換気扇Ｆを動作させ続け、時刻ｔ＝ｔ１６から動作保持時間Ｔ１のカウントが終了した時点（時刻ｔ＝ｔ１８）で換気扇駆動部８を制御して換気扇Ｆを停止させる（図４（ａ）参照）。なお、換気扇連動用子器Ｃの制御部９は人体検知信号を受け取ったときに動作表示部１６の発光ダイオードを発光させて人の存在が検知されたことを表示する。
【００４１】
上述のように本実施形態の換気扇連動用子器Ｃでは、それぞれに異なる系統の照明制御システムの信号線Ｌｓ１，Ｌｓ２が接続される２つの子器接続端子部３，４を備え、少なくとも何れか１つの子器接続端子部３，４から人体検知信号が入力されたときに制御部９が換気扇駆動部８を制御して換気扇Ｆを動作させるので、従来例のように別途配線を設けることなく２系統の照明制御システムで同一の換気扇Ｆを連動して動作させることができる。但し、３つ以上の子器接続端子部並びに信号入出力部を設ければ、例えば、公共施設における男性トイレ用の照明負荷、女性トイレ用の照明負荷、多目的の照明負荷を個別に制御しつつ共用する換気扇を連動制御することも可能である。また、熱線センサ部５から出力される人体検知信号を第１の信号入出力部６から第１の子器接続端子部３を介して第１の系統の信号線Ｌｓ１のみに送出させているので、２系統の照明制御システムのうちで換気扇連動用子器Ｃが主に何れの照明制御システムに属するかが明確になり、換気扇連動用子器Ｃの設置場所の選定が容易になる。さらに第１の信号入出力部６に第１の子器接続端子部３と並列に送り配線用の子器接続端子部１４が設けられているので、換気扇連動用子器Ｃを必ずしも信号線Ｌｓ１の末端に接続する必要がなくなり、信号線Ｌｓ３を送り配線して別の子器を接続することができるから設置場所の選択の自由度が増すとともに信号線Ｌｓ１，Ｌｓ３の引き回しが容易になる。
【００４２】
（実施形態２）
近年、シックハウス対策として、ホルムアルデヒドを発散する建材を使用しない場合でも、家具からの発散があるため、原則として全ての建築物に機械換気設備（常時換気設備）の設置を義務付けられることとなった。この常時換気設備に用いる換気扇には、風量を強弱の２段階に切替可能なものがある。本実施形態の換気扇連動用子器Ｃは、上述のように風量が強弱の２段階に切換可能な換気扇Ｆを動作させるために換気扇接続端子部１並びに換気扇駆動部８の構成が実施形態１のものから変更されている点に特徴があり、かかる点を除いて、実施形態１のものと基本的な構成が共通している。よって、実施形態１と共通の構成要素には同一の符号を付して説明を省略する。
【００４３】
本実施形態における換気扇接続端子部１は４端子構成であって、図５に示すように電源端子部２の一方の電源端子２ａと接続された第１の接続端子１ａと、電源端子部２の他方の電源端子２ｂと第１のリレー接点ｒ１を介して接続された第２の接続端子１ｂと、電源端子２ｂに第２のリレー接点ｒ２並びにトライアックＱ１の並列回路を介して接続された第３の接続端子１ｃと、電源端子２ｂに第３のリレー接点ｒ３並びにトライアックＱ２の並列回路を介して接続された第４の接続端子１ｄとで構成される。
【００４４】
一方、換気扇駆動部８は、第１乃至第３のリレー接点ｒ１，ｒ２，ｒ３と、２つのトライアックＱ１，Ｑ２と、制御部９から与えられる制御指令に基づいて２つのトライアックＱ１，Ｑ２を個別にターンオン及びターンオフするトライアック制御回路８ａと、同じく制御部９から与えられる制御指令に基づいて第１乃至第３のリレー端子ｒ１，ｒ２，ｒ３を個別に開閉するリレー８ｂとを具備する。ところで、換気扇Ｆには、外部電源ＡＣを強運転用の端子に入力するか、あるい弱運転用の端子に入力するかを、外部の切り替えスイッチにより切り替えることで風量の強弱を切り替える外部接点切替形の換気扇Ｆ１と、外部電源ＡＣを強運転用の端子に入力するか、あるい弱運転用の端子に入力するかを、内蔵したリレーにより切り替えることで風量の強弱を切り替える切替リレー内蔵形の換気扇Ｆ２とがある。そして、外部接点切替形の換気扇Ｆ１に対しては、図６（ａ）に示すように換気扇Ｆ１の共通端子と換気扇接続端子部１の第１の接続端子１ａ、換気扇Ｆ１を強状態で運転させる強運転用端子と第３の接続端子１ｃ、換気扇Ｆ１を弱状態で運転させる弱運転用端子と第４の接続端子１ｄをそれぞれ接続し、換気扇駆動部８のリレー接点ｒ２を閉じて第１の接続端子１ａと第３の接続端子１ｃを導通させることで共通端子と強運転用端子に外部電源ＡＣを接続して換気扇Ｆ１を強運転させ、リレー接点ｒ３を閉じて第１の接続端子１ａと第４の接続端子１ｄを導通させることで共通端子と弱運転用端子に外部電源ＡＣを接続して換気扇Ｆ１を弱運転させることができ、さらに換気扇駆動部８のリレー接点ｒ１を開けば外部電源ＡＣからの給電を遮断して換気扇Ｆ２を停止させることができる。なお、弱運転と強運転を切り替える際、２つのリレー接点ｒ２，ｒ３のオン・オフを同時に切り替えるのではなく、両接点ｒ２，ｒ３がともにオフする時間（デッドタイム）を設けて切り替えることが望ましい。
【００４５】
一方、切替リレー内蔵形の換気扇Ｆ２に対しては、図６（ｂ）に示すように換気扇Ｆ２の共通端子と換気扇接続端子部１の第１の接続端子１ａ、換気扇Ｆ１の強運転用端子と第２の接続端子１ｂ、換気扇Ｆ２の弱運転用端子と第４の接続端子１ｄをそれぞれ接続し、換気扇駆動部８のリレー接点ｒ１を閉じて第１の接続端子１ａと第２の接続端子１ｂを導通させることで換気扇Ｆ２に外部電源ＡＣから給電し、この状態でリレー接点ｒ３を開けば内蔵リレーが強運転側に切り替わって共通端子と強運転用端子に外部電源ＡＣを接続して換気扇Ｆ２を強運転させ、リレー接点ｒ３を閉じれば内蔵リレーが弱運転側に切り替わって共通端子と弱運転用端子に外部電源ＡＣを接続して換気扇Ｆ２を弱運転させることができ、さらに換気扇駆動部８のリレー接点ｒ１を開けば外部電源ＡＣからの給電を遮断して換気扇Ｆ２を停止させることができる。なお、リレー接点ｒ２，ｒ３の開閉は実施形態１と同様にトライアックＱ１，Ｑ２をターンオンさせた状態で行われる。
【００４６】
次に、図７のタイムチャートを参照して本実施形態における照明負荷制御システムの動作をさらに詳しく説明する。なお、図７（ａ）は換気扇Ｆの動作状態、（ｂ）（ｃ）はそれぞれ第１の系統（主系統）の照明負荷Ｌ１と第２の系統（副系統）の照明負荷Ｌ２の動作状態（点灯又は消灯）を示している。また常時換気のために換気扇Ｆは通常弱運転されているものとする。
【００４７】
照明負荷Ｌ１，Ｌ２が消灯し且つ換気扇Ｆが弱運転しているとき、時刻ｔ＝ｔ１に第１の系統の親機Ａ１若しくは子器Ｂ１１，…で検知領域内に人の存在が検知されると第１の系統の照明負荷Ｌ１が点灯する（図７（ｂ）参照）。一方、換気扇連動用子器Ｃでは、信号線Ｌｓ１に送出された人体検知信号を制御部９が第１の信号入出力部６から受け取り、換気扇駆動部８を制御して換気扇Ｆを強運転させる（図７（ａ）参照）。そして、時刻ｔ＝ｔ２の時点を最後に検知領域内に人の存在が検知されなくなれば、第１の系統の親機Ａ１は時刻ｔ＝ｔ２から所定時間Ｔ２が経過した時点（時刻ｔ＝ｔ３）で照明負荷Ｌ１を消灯する（図７（ｂ）参照）。一方、換気扇連動用子器Ｃでは、時刻ｔ＝ｔ２から動作保持時間Ｔ１のカウントが終了した時点（時刻ｔ＝ｔ４）で制御部９が換気扇駆動部８を制御して換気扇Ｆを弱運転に戻す（図７（ａ）参照）。
【００４８】
また時刻ｔ＝ｔ５に第２の系統の親機Ａ２若しくは子器Ｂ２１，…で検知領域内に人の存在が検知されると第２の系統の照明負荷Ｌ２が点灯する（図７（ｃ）参照）。一方、換気扇連動用子器Ｃでは、信号線Ｌｓ２に送出された人体検知信号を制御部９が第２の信号入出力部７から受け取り、換気扇駆動部８を制御して換気扇Ｆを強運転させる（図７（ａ）参照）。さらに時刻ｔ＝ｔ６に第１の系統の親機Ａ１若しくは子器Ｂ１１，…で検知領域内に人の存在が検知されると第１の系統の照明負荷Ｌ１も点灯する（図７（ｂ）参照）。一方、換気扇連動用子器Ｃの制御部９は、信号線Ｌｓ１に送出された人体検知信号を第１の信号入出力部６から受け取ると動作保持時間Ｔ１のカウントをリセットして換気扇Ｆを強運転させ続ける（図７（ａ）参照）。そして、時刻ｔ＝ｔ７の時点を最後に検知領域内に人の存在が検知されなくなれば、第２の系統の親機Ａ２は時刻ｔ＝ｔ７から所定時間Ｔ３が経過した時点（時刻ｔ＝ｔ９）で照明負荷Ｌ２を消灯する（図７（ｃ）参照）。また時刻ｔ＝ｔ８の時点を最後に検知領域内に人の存在が検知されなくなれば、第１の系統の親機Ａ１は時刻ｔ＝ｔ８から所定時間Ｔ２が経過した時点（時刻ｔ＝ｔ１０）で照明負荷Ｌ１を消灯する（図７（ｂ）参照）。一方、換気扇連動用子器Ｃの制御部９は、時刻ｔ＝ｔ８から動作保持時間Ｔ１のカウントが終了した時点（時刻ｔ＝ｔ１１）で換気扇駆動部８を制御して換気扇Ｆを弱運転に戻す（図７（ａ）参照）。
【００４９】
また換気扇連動用子器Ｃにおいて、時刻ｔ＝ｔ１２で動作保持時間設定スイッチ１５ａにより動作保持時間Ｔ１がゼロ、すなわちオフ設定されると、制御部９が換気扇駆動部８を制御して換気扇Ｆを停止させ、動作保持時間設定スイッチ１５ａにより再度動作保持時間Ｔ１がゼロ以外に設定されれば（時刻ｔ＝ｔ１３）、制御部９が換気扇駆動部８を制御して換気扇Ｆを弱運転させる（図７（ａ）参照）。
【００５０】
次に、図８〜図１２を参照して換気扇連動用子器Ｃの構造について説明する。
【００５１】
換気扇連動用子器Ｃは、天井に取付可能な構造を有しており、図８に示すように器体（ボディ３０とカバー４０）、端子カバー５０、プレート１２０、１対の挟み金具６０、回転体７０、支持部材８０、子器基板ブロック９０、電源基板ブロック１００、スイッチ基板ブロック１１０などから構成されている。
【００５２】
ボディ３０は、窓孔３２が中央に形成され１対の保持溝３３が両側にそれぞれ形成されている円状のフランジ部３１と、フランジ部３１の上面中央に一体成形された筒部３４とで構成される。筒部３４の上縁には４個の組立片３５が上向きに突設され、各組立片３５にはそれぞれ嵌合孔３６が開口している。尚、フランジ部３１には、後述する挟み金具６０の引締めねじ６３をそれぞれ露出させるだるま孔状の２個の操作孔（図示せず）が各対の保持溝３３の間に形成されている。
【００５３】
挟み金具６０は従来周知であって、１対の保持溝３３にそれぞれ係合する１対の係合突片６２が下端に形成され、一方に開口する縦長箱状の支柱６１と、支柱６１の上壁及び底壁に上下端がそれぞれ挿通されて支柱６１に回動自在に保持される引締めねじ６３と、この引締めねじ６３に螺合する挟み片６４とで構成される。この挟み片６４は、引締めねじ６３を回すことで、支柱６１の上部側壁に設けた切欠部６５から出て支柱６１の開口面に沿って下降するようになっている。従って、各挟み金具６０の挟み片６４を切欠部６５内に待避させた状態で、１対の係合突片６２をフランジ部３１の１対の保持溝３３にそれぞれ係合させて、各挟み金具６０をボディ３０に着脱可能に取り付け、次いで各挟み金具６０及び筒部３４を図略の天井のボードに形成された取付孔に挿通した後、フランジ部３１の操作孔から露出する引締めねじ６３を回すことで挟み片６４を下降させれば、上記取付孔の周部近傍のボード上下面にそれぞれ挟み片６４の先端部下面及びフランジ部３１の上面が当接（圧接）して、ボディ３０が天井に取り付けられることになる。
【００５４】
プレート１２０は、窓孔３２に対応する丸孔１２１を中央部に有し、フランジ部３１に係合して保持され、化粧カバーとして機能するものである。
【００５５】
回転体７０は、軸部７２が両端に突設されている半球状の回転枠７１と、回転枠７１の前面側（図８では下側）に結合して窓部となる半球状のレンズ（例えばフレネルレンズよりなる多焦点レンズ）７３と、熱線センサ部５及び動作表示部１６が下面に実装され回転枠７１及びレンズ７３の内部に収納されるセンサ系プリント配線板７４と、回転枠７１及びレンズ７３の結合部分に取り付けられるリング状の保持枠７５とで構成される。つまり、回転体７０において熱線センサ部５の受光面の前面側にはレンズ７３が取り付けられており、レンズ７３を通して熱線センサ部５に熱線が入射するようになっている。なお、回転体７０は支持部材８０によってボディ３０に回動自在に取り付けられる。
【００５６】
子器基板ブロック９０は、矩形平板状のプリント配線板（第２のプリント配線板）９１に第１及び第２の信号入出力部６，７、子器接続端子部３，４並びに送り配線用子器接続端子部１４を実装して構成されている。各端子部３，４，１４は、コ字状に形成された端子板９２、鎖錠ばね９３、解除釦９４で構成される従来周知の速結端子（ねじ無し端子）をそれぞれ一対ずつ備え、プリント配線板９１の上端部に左右方向に一列に並べて実装されるとともに、各速結端子に対応した合計６つの電線挿入孔９５ａ並びに各解除釦９４を操作するための合計３つの操作孔９５ｂが前面（図８における左側面）に設けられた端子部ボディ９５で覆われる。
【００５７】
電源基板ブロック１００は、矩形平板状のプリント配線板（第１のプリント配線板）１０１に換気扇駆動部８、第１の電源回路１０、第２の電源回路１１、制御部電源回路１２、ゼロクロス検出回路１３、換気扇接続端子部１並びに電源端子部２を実装して構成されている。各端子部１，２は、子器接続端子部３，４並びに送り配線用子器接続端子部１４と同様に、コ字状に形成された端子板１０２、鎖錠ばね１０３、解除釦１０４で構成される従来周知の速結端子をそれぞれ一対ずつ備え、プリント配線板１０１の上端部に左右方向に一列に並べて実装されるとともに、各速結端子に対応した合計６つの電線挿入孔１０５ａ並びに各解除釦１０４を操作するための合計３つの操作孔１０５ｂが前面（図８における左側面）に設けられた端子部ボディ１０５で覆われる。なお、端子板１０２、鎖錠ばね１０３、解除釦１０４、端子部ボディ１０５は、何れも子器基板ブロック９０の端子板９２、鎖錠ばね９３、解除釦９４、端子部ボディ９５と同一の形状及び寸法を有している。
【００５８】
スイッチ基板ブロック１１０は、矩形平板状のプリント配線板（第３のプリント配線板）１１１に制御部９並びに操作スイッチ部１５を実装して構成されている。このように、電源系、信号系、弱電系の回路をそれぞれ別のプリント配線板９１，１０１，１１１に実装しているので、各系の間の絶縁が確保し易くなるとともにノイズやサージ電圧に対する耐性が向上するという利点がある。
【００５９】
一方、カバー４０は、筒部３４の開口部を閉塞可能な有底筒状に形成され、その側壁部の下端側には各組立片３５の嵌合孔３６とそれぞれ凹凸係合する４つの嵌合突部４１が形成されており、図９に示すように嵌合突部４１と嵌合孔３６とを嵌合させることによって、ボディ３０とカバー４０とが結合されて器体が組み立てられる。ここで、カバー４０の下端縁には、図１０に示すようにボディ３０とカバー４０が結合された状態で、各組立片３５の近傍においてボディ３０（筒部３４）の外側面に当接する突起状の支持部４４が下方へ突設されている。また、これら４つの支持部４４は筒部３４を挟んでカバー４０の左右両側に各々一対ずつ設けられているが、各一対の支持部４４の間に固定手段たる挟み金具６０が配置される。このとき、挟み金具６０の支柱６１がボディ３０の筒部３４並びにカバー４０の側面に密着させてある。
【００６０】
また、カバー４０の上端部は階段状に形成されており、下段の側壁部には子器基板ブロック９０の端子部ボディ９５の前面（電線挿入孔９５ａ並びに操作孔９５ｂが開口する面）を露出させるための第１の開口窓４２が設けられ、上段の側壁部には電源基板ブロック１００の端子部ボディ１０５の前面（電線挿入孔１０５ａ並びに操作孔１０５ｂが開口する面）を露出させるための第２の開口窓４３が設けられている。ここで、第１及び第２の開口窓４２，４３から端子部ボディ９５，１０５の前面を露出させるために、カバー４０の内部に子器基板ブロック９０並びに電源基板ブロック１００が起立状態で収納される。カバー４０の内側面には、図１１（ａ）（ｂ）に示すように子器基板ブロック９０のプリント配線板９１並びに電源基板ブロック１００のプリント配線板１０１の両端部が各々スライド自在に嵌合する各一対の嵌合溝４５ａ，４５ｂがボディ３０に対するカバー４０の取付方向（図８における上下方向）に沿って設けられている。すなわち、端子部ボディ９５，１０５が取り付けられている上端側からプリント配線板９１，１０１の両端部を各一対の嵌合溝４５ａ，４５ｂにスライドして嵌合させれば、図１１（ｂ）に示すようにプリント配線板９１，１０１をカバー４０内に確実に位置決めして収納することができ、しかも、プリント配線板９１，１０１が嵌合溝４５ａ，４５ｂに嵌合して固定されているから、各端子部１〜４，１４に電線を接続する際にプリント配線板９１，１０１ががたつくのを防ぐことができる。
【００６１】
ところで、子器基板ブロック９０のプリント配線板９１並びに電源基板ブロック１００のプリント配線板１０１の下端部には各々一対の突起９６，１０６が下方へ突設されており、これら一対の突起９６，１０６がそれぞれ凹凸係合する合計４つの係合溝１１２がスイッチ基板ブロック１１０のプリント配線板１１１に貫設されている。すなわち、図１１（ｃ）に示すように各一対の突起９６，１０６を係合溝１１２にそれぞれ挿入して凹凸係合することで子器基板ブロック９０並びに電源基板ブロック１００のスライド方向における抜け止めと位置決めを同時に行うことができ、しかも、ボディ３０とカバー４０を結合すればスイッチ基板ブロック１１０が筒部３４内に収納且つ保持されるから、３つの基板ブロック９０，１００，１１０を何れも確実に位置決めして固定することができる。
【００６２】
上述のようにボディ３０とカバー４０を結合して器体を組み立てた状態では、図９に示すように子器接続端子部３，４並びに送り配線用子器接続端子部１４がカバー４０上端部の下段側に一列に並べて配置され、換気扇接続端子部１並びに電源端子部２がカバー４０上端部の上段側に一列に並べて配置され、それぞれの端子部１〜４，１４に対応する端子部ボディ９５，１０５の電線挿入孔９５ａ，１０５ａに左右方向から電線を挿入すれば、端子板９２，１０２と鎖錠ばね９３，１０３との間に電線が弾性狭持され、且つ鎖錠ばね９３，１０３に鎖錠されて抜け止めされる。さらに操作孔９３ｂ，１０３ｂにマイナスドライバ等の治具の先端を挿入して解除釦９４，１０４を押動すれば、鎖錠ばね９３，１０３による鎖錠が解除された電線を引き抜くことができる。
【００６３】
ここで、カバー４０の上端部には各端子部１〜４，１４に対応する電線挿入孔９５ａ，１０５ａ並びに操作孔９５ｂ，１０５ｂを覆って水滴等の進入を防止するための端子カバー５０が着脱自在に取り付けられる。この端子カバー５０は、カバー４０の上面（底面）と対向する底壁５１と、底壁５１の周縁より下方へ垂下してカバー４０の上端部の周囲を囲む側壁５２とを有する筒状に形成されている。また側壁５２の器体を挟んで対向する両側端部には、カバー４０上端部の下段側両側面に設けられた一対の係止溝（被係止部）４６にそれぞれ挿入係止する係止爪（係止部）５３ａを先端に有した一対の第１係止片（嵌合部）５３と、カバー４０上端部の上段側両側面に設けられた一対の係止溝（被係止部）４７にそれぞれ挿入係止する係止爪（係止部）５４ａを先端に有した一対の第２係止片（嵌合部）５４とが下方に向かって突設されている。さらに、カバー４０上端部の下段側及び上段側両側面には、第１係止片５３並びに第２係止片５４がそれぞれ凹凸嵌合する嵌合凹部４８，４９が形成されている。すなわち、内側にカバー４０の上端部を挿入するとともに第１係止片５３並びに第２係止片５４をそれぞれ嵌合凹部４８，４９に嵌合させる形で端子カバー５０を上から下へ移動させれば、２つの係止片５３，５４がともに外側に撓み、やがてそれぞれの係止爪５３ａ，５４ａが係止溝４６，４７に挿入係止されることでカバー４０に端子カバー５０が取り付けられる。なお、端子カバー５０を上方向に引っ張れば、第１係止片５３並びに第２係止片５４がそれぞれ外側に撓んで係止爪５３ａ，５４ａと係止溝４６，４７の係止が外れてカバー４０から端子カバー５０を取り外すことができる。
【００６４】
ここで、端子カバー５０は電線挿入孔９５ａ，１０５ａ並びに操作孔９５ｂ，１０５ｂと対向する面（図１０（ｂ）における前面）とその両側の面（図１０（ｂ）における左右両側面）にだけ側壁５２が設けられ、これ以外の面（図１０（ｂ）における背面）には側壁５２が設けられていない。従って、端子カバー５０をカバー４０に取り付けたとき、側壁５２が設けられていない面（図１０（ｂ）における背面）に電線（電源線Ｌｐ、負荷線Ｌｘ、信号線Ｌｓ１，Ｌｓ２）を引き出すための引出口（図示せず）が形成されることになる。
【００６５】
而して、上述のように各端子部１〜４，１４が端子カバー５０の取付方向（上下方向）と交差する方向（左右方向）に沿って器体（カバー４０）の端部に複数列（２列）に並び且つ端子カバー５０の取付方向に沿って各列が段違いに設けられているので、端子部１〜４，１４に接続される合計１２本の電線が端子カバー５０内で引き回し易くなり、しかも、電線を挿入する電線挿入孔９５ａ，１０５ａが側面に配置されていることから、端子部１〜４，１４に対する電線の接続状態が確認し易くなって施工性が向上するという利点もある。また、他の子器Ｂ１１，…に比べて端子部１〜４，１４に接続する電線の本数が大幅に増えているために端子カバー５０に発生する電線による応力も大きくなるが、本実施形態では第１係止片５３と第２係止片５４を端子カバー５０の上下方向において段違いに配置するとともに、カバー４０に設けられた嵌合凹部４８，４９に嵌合させているので、カバー４０に対する端子カバー５０の取付強度が向上して電線による応力で端子カバー５０が外れるのを防ぐことができる。また、カバー４０の下端縁に突設された支持部４４を各組立片３５の近傍においてボディ３０（筒部３４）の外側面に当接させ、さらにボディ３０のフランジ部３１に取り付けられた挟み金具６０の支柱６１をボディ３０の筒部３４並びにカバー４０の側面に密着させているから、電線による応力でカバー３０が撓むのを抑えて、カバー３０の嵌合突部４１とボディ３０の組立片３５にも受けられた嵌合孔３６との嵌合が外れるのを防ぐことができる。
【００６６】
なお、図１２に示すように子器基板ブロック９０並びに電源基板ブロック１００を寝かせた状態でカバー４０内に収納し、他の子器Ｂ１１，…と同様に、各端子ブロック９０，１００に実装されている端子部ボディ９５，１０５の電線挿入孔９５ａ，１０５ａを上方に向けて電線を下向きに挿入する構造としても構わない。この場合においても換気扇接続端子部１並びに電源端子部２の列と子器接続端子部３，４並びに送り配線用子器接続端子部１４の各列を段違いに設けることにより、端子部１〜４，１４に接続される合計１２本の電線が端子カバー５０内で引き回し易くる。
【図面の簡単な説明】
【００６７】
【図１】本発明の実施形態１を示す回路ブロック図である。
【図２】同上を用いた照明制御システムのシステム構成図である。
【図３】同上の配線図である。
【図４】同上の動作説明用のタイムチャートである。
【図５】本発明の実施形態２を示す回路ブロック図である。
【図６】（ａ）は外部接点切替形の換気扇との配線図、（ｂ）はリレー内蔵形の換気扇との配線図である。
【図７】同上の動作説明用のタイムチャートである。
【図８】同上の分解斜視図である。
【図９】同上の端子カバーを外した状態の斜視図である。
【図１０】（ａ）は同上の斜視図、（ｂ）は同上の正面図である。
【図１１】（ａ）は同上におけるカバーの斜視図、（ｂ）は同上における子器基板ブロック、電源基板ブロックをカバーに収納した状態の断面図、（ｃ）は子器基板ブロック並びに電源基板ブロックをスイッチ基板ブロックに結合した状態の斜視図である。
【図１２】同上における他の構造を示し、（ａ）は斜視図、（ｂ）は端子カバーを外した状態の上面図、（ｃ）は子器基板ブロック、電源基板ブロック、スイッチ基板ブロックの斜視図である。
【図１３】従来の換気扇連動用子器を含む照明制御システムのシステム構成図である。
【符号の説明】
【００６８】
１  換気扇接続端子部
２  電源端子部
３  第１の子器接続端子部
４  第２の子器接続端子部
５  熱線センサ部
６  第１の信号入出力部
７  第２の信号入出力部
８  換気扇駆動部
９  制御部
【図１】
2006331947.tif 000003
【図２】
2006331947.tif 000004
【図３】
2006331947.tif 000005
【図４】
2006331947.tif 000006
【図５】
2006331947.tif 000007
【図６】
2006331947.tif 000008
【図７】
2006331947.tif 000009
【図８】
2006331947.tif 000010
【図９】
2006331947.tif 000011
【図１０】
2006331947.tif 000012
【図１１】
2006331947.tif 000013
【図１２】
2006331947.tif 000014
【図１３】
2006331947.tif 000015